(57)【要約】【課題】携帯電話などの携帯端末をＩＰ電話網の内線電話網に接続し、この内線電話網を介して他の電話網の電話機の電話番号に外線をかけることを可能とする電話システム、携帯端末及びその方法を提供する。【解決手段】本発明の電話システムは、ネットワークに接続可能な携帯端末と、携帯端末からのネットワークを介したアクセスに対応し、ＶＰＮ接続された携帯端末を自身の管理する内線電話網に接続する内線端末管理部と、内線電話網に接続された携帯端末から入力された外線番号に対応し、内線電話網と異なる他の電話網に接続された電話との接続を行う電話制御部とを備える。【選択図】図１
2014195167.tif 000002
【特許請求の範囲】
【請求項１】
ネットワークに接続可能な携帯端末と、
前記携帯端末からの前記ネットワークを介したアクセスに対応し、ＶＰＮ接続された前記携帯端末を自身の管理する内線電話網に接続する内線端末管理部と、
前記内線電話網に接続された前記携帯端末から入力された外線番号に対応し、当該内線電話網と異なる他の電話網に接続された電話との接続を行う電話制御部と
を備えることを特徴とする電話システム。
【請求項２】
前記携帯端末が無線ＬＡＮへの接続の内部設定を変更する機能を有する制御部を有しており、
当該制御部が、
前記内部設定において、当該無線ＬＡＮに強制的に接続する設定とされている際、前記携帯電話が内線電話網に接続された後に携帯電話網を介して外線をかけた場合、前記内部接続を前記無線ＬＡＮに接続しない設定に変更し、当該携帯端末が無線ＬＡＮ網に接続するアクセスポイントの通信可能領域に侵入しても、前記携帯端末が前記無線ＬＡＮ網に接続を切り替えないこと
を特徴とする請求項１に記載の電話システム。
【請求項３】
前記内線端末管理部が、前記携帯端末を内線電話とする際、自身の管理する内線番号を付与する
ことを特徴とする請求項１または請求項２に記載の電話システム。
【請求項４】
前記内線端末管理部が、自身のグローバルＩＰアドレスが変更された際、前記携帯端末に対して変更後の変更グローバルＩＰアドレスをメールにより送信し、前記携帯端末においてＶＰＮ接続するアドレスとして内部に設定することを可能とする
ことを特徴とする請求項１から請求項３のいずれか一項に記載の電話システム。
【請求項５】
請求項１から請求項４のいずれか一項に記載の電話システムに接続される携帯端末であって、
前記携帯端末が、前記内線端末管理部に対してアクセスを行う際、携帯電話網及び前記無線ＬＡＮの双方を用いてデータ通信が行え、前記無線ＬＡＮとの通信が可能な領域であると前記無線ＬＡＮとの接続を自動的に行う内部設定を有している構成であり、
前記無線ＬＡＮへの接続の内部設定を変更する機能を有しており、前記内部設定において、当該無線ＬＡＮに強制的に接続する設定とされている際、前記携帯端末が内線電話網に接続された後に外線接続をした場合、前記内部設定を前記無線ＬＡＮに接続しない設定に変更し、当該携帯端末が無線ＬＡＮ網に接続するアクセスポイントの通信可能領域に侵入しても、前記携帯端末が前記無線ＬＡＮ網に接続を切り替えない制御部を有する
ことを特徴とする携帯端末。
【請求項６】
内線端末管理部が、ネットワークに接続可能な携帯端末からの前記ネットワークを介したアクセスに対応し、ＶＰＮ接続された前記携帯端末を自身の管理する内線電話網に接続する内線端末管理過程と、
電話制御部が、前記内線電話網に接続された前記携帯端末から入力された外線番号に対応し、当該内線電話網と異なる他の電話網に接続された電話との接続を行う電話制御過程と
を含むことを特徴とする電話システムの制御方法。
【発明の詳細な説明】
【技術分野】
【０００１】
本発明は、携帯電話などの携帯端末を用いた電話システム及びその方法に関する。
【背景技術】
【０００２】
近年、ＩＰ（Internet Protocol）ネットワークを通じて音声信号を送受信して通話する、いわゆるＩＰ電話が注目されている。ＩＰ電話では、ＩＰネットワークを利用することにより、回線交換式の従来の電話と比較して回線の使用効率が高く、通話料金を低くすることが可能となっている。また、最近では、ＩＰ電話の一種として、無線ＬＡＮ（Local Area Network）を用いてＩＰネットワークに接続して通話する、いわゆるＩＰ携帯電話も登場している（例えば、特許文献１参照）。
【先行技術文献】
【特許文献】
【０００３】
【特許文献１】特開２０１０−２０００７３号公報
【発明の概要】
【発明が解決しようとする課題】
【０００４】
しかしながら、特許文献１の通信システムは、フェムトセルに登録されている携帯端末がそのサービスエリアに在圏した場合にのみ、通話料金が携帯電話網より安価なＩＰ電話網を介して発信接続が可能である。
また、携帯端末を内線電話網に接続し、この内線電話網に接続された固定電話との通話を行うことはできるが、この内線電話網の内線電話として、この内線電話網に接続されていない他の情報通信網に接続された固定電話あるいは携帯端末に対して外線をかけることはできない。
【０００５】
本発明は、このような事情に鑑みてなされたもので、携帯電話などの携帯端末をＩＰ電話網の内線電話網に接続し、この内線電話網を介して他の電話網の電話機の電話番号に外線をかけることを可能とする電話システム、携帯端末及びその方法を提供することを目的とする。
【課題を解決するための手段】
【０００６】
本発明の電話システムは、ネットワークに接続可能な携帯端末と、前記携帯端末からの前記ネットワークを介したアクセスに対応し、ＶＰＮ（Virtual Private Network）接続された前記携帯端末を自身の管理する内線電話網に接続する内線端末管理部と、前記内線電話網に接続された前記携帯端末から入力された外線番号に対応し、当該内線電話網と異なる他の電話網に接続された電話との接続を行う電話制御部とを備えることを特徴とする。
【０００７】
本発明の電話システムは、前記携帯端末が無線ＬＡＮへの接続の内部設定を変更する機能を有する制御部を有しており、当該制御部が、前記内部設定において、当該無線ＬＡＮに強制的に接続する設定とされている際、前記携帯端末が内線電話網に接続された後に外線接続をした場合、前記内部設定を前記無線ＬＡＮに接続しない設定に変更し、当該携帯端末が無線ＬＡＮ網に接続するアクセスポイントの通信可能領域に侵入しても、前記携帯端末が前記無線ＬＡＮ網に接続を切り替えないことを特徴とする。
【０００８】
本発明の電話システムは、前記内線端末管理部が、前記携帯端末を内線電話とする際、自身の管理する内線番号を付与することを特徴とする。
【０００９】
本発明の電話システムは、前記内線端末管理部が、自身のグローバルＩＰアドレスが変更された際、前記携帯端末に対して変更後の変更グローバルＩＰアドレスをメールにより送信し、前記携帯端末においてＶＰＮ接続するアドレスとして内部に設定することを可能とすることを特徴とする。
【００１０】
本発明の携帯端末は、上記電話システムのいずれかに接続される携帯端末であって、前記携帯端末が、前記内線端末管理部に対してアクセスを行う際、携帯電話網及び前記無線ＬＡＮの双方を用いてデータ通信が行え、前記無線ＬＡＮとの通信が可能な領域であると前記無線ＬＡＮとの接続を自動的に行う内部設定を有している構成であり、前記無線ＬＡＮへの接続の内部設定を変更する機能を有しており、前記内部設定において、当該無線ＬＡＮに強制的に接続する設定とされている際、前記携帯端末が内線電話網に接続された後に携帯電話網を介し、当該内線電話網と異なる他の電話網の電話と接続した場合、前記内部接続を前記無線ＬＡＮに接続しない設定に変更し、当該携帯端末が無線ＬＡＮ網に接続するアクセスポイントの通信可能領域に侵入しても、前記携帯端末が前記無線ＬＡＮ網に接続を切り替えない制御部を有することを特徴とする。
【００１１】
本発明の電話システムの制御方法は、内線端末管理部が、ネットワークに接続可能な携帯端末からの前記ネットワークを介したアクセスに対応し、ＶＰＮ接続された前記携帯端末を自身の管理する内線電話網に接続する内線端末管理過程と、電話制御部が、前記内線電話網に接続された前記携帯端末から入力された外線番号に対応し、当該内線電話網と異なる他の電話網に接続された電話との接続を行う電話制御過程とを含むことを特徴とする。
【発明の効果】
【００１２】
この発明によれば、携帯端末をホームゲートウェイの内線電話網の内線電話として、ホームゲートウェイが形成するＩＰ電話の内線電話網に接続し、この内線電話網における内線子機として、この内線電話網を介して他の電話網の電話機に発着信を行うことを可能とする。
【図面の簡単な説明】
【００１３】
【図１】この発明の一実施形態による電話システムの構成例を示す概略ブロック図である。
【図２】ホームゲートウェイ４００が自身の無線ＬＡＮの無線送受信可能なエリアに存在する携帯端末を、自身の内線電話網の内線電話とし、この携帯端末から外線に電話をかける処理を示すシーケンス図である。
【図３】ホームゲートウェイ４００が携帯端末に対してグローバルＩＰアドレスを供給する処理を示すシーケンス図である。
【図４】携帯端末５００をホームゲートウェイ４００の内線電話網の内線電話とする処理を説明するシーケンス図である。
【図５】３Ｇ（3rd. Generation）及びＬＴＥ（Long Term Evolution：３Ｇの拡張版）などに代表される携帯電話網６００における基地局６０２の無線通信エリア６５０と公衆無線ＬＡＮ網７００の無線ＬＡＮアクセスポイントの無線通信エリア７５０とを示す概念図である。
【発明を実施するための形態】
【００１４】
以下、図面を参照して、本発明の実施の形態について説明する。図１は、この発明の一実施形態による電話システムの構成例を示す概略ブロック図である。この図において、情報通信網としては、インターネット１００、ＮＧＮ（Next Generation Network）２００及びＰＳＴＮ（Public Switched Telephone Networks）３００が一例として用いられている。
インターネット１００には、メールサーバ１０１及びアクセスサーバ１０２などが接続されている。メールサーバ１０１は、プロバイダの管理センタなどに設けられており、メールに付加されている送信先のアドレスに対して、インターネット１００を介して、このメールを送信する。
【００１５】
アクセスサーバ１０２は、メールサーバ１０１と同様にプロバイダの管理センタなどに設けられ、ホームゲートウェイ（HGW:Home GateWay）４００に対するグローバルＩＰアドレス（例えばＩＰｖ４（Internet Protocol version 4）のプロトコル対応のアドレス）の割り当てを行い、割り当てたグローバルＩＰアドレスをホームゲートウェイ４００に送信する。
ＮＧＮ２００は、電話やデータ通信、またはストリーミング放送などを融合した通信回線を形成し、高速通信網の有効利用を可能とする情報通信網である。
【００１６】
ＮＧＮ２００には、上記情報通信網を提供する会社と契約をしているユーザのホームゲートウェイ４００が接続されている。このホームゲートウェイ４００は、ルータ機能部４１０と電話制御部４２０とを有している。ルータ機能部４１０は、ＶＰＮ（Virtual Private Network）機能部４１１、ＰＰＰｏＥ（Point to Point Protocol over Ethernet（登録商標））機能部４１２及びメール機能部４１３の各々を有している。電話制御部４２０は、ＶｏＩＰ機能部４２１とＳＩＰ（Session Initiation Protocol）制御部（呼制御部）４２２と内線端末管理部４２３との各々を有している。このホームゲートウェイ４００において、内線端末管理部４２３には、電話８００が接続されている。ここで、電話制御部４２０は、ＳＩＰのアルゴリズムを基本として、ＩＰ電話の呼制御プロトコルにより電話相互における呼制御を行う。
【００１７】
また、３Ｇ及びＬＴＥなどに代表される携帯電話網６００のルータ６０１を介して、携帯端末５００はインターネット１００に対して接続される。あるいは、ＷｉＦｉ（登録商標）（Wireless Fidelity：ワイファイ）アクセスポイント（スポット）などのIEEE 802.11規格に沿った公衆無線ＬＡＮ網７００の無線ＬＡＮアクセスポイントによるルータ７０１を介して、携帯端末５００はインターネット１００に対して接続される。
携帯端末５００は、例えば携帯電話であり、制御部５０１、ＶＰＮクライアント部５０２、ＳＩＰクライアント部５０３及びアドレス反映機能部５０４の各々を有している。この制御部５０１、ＶＰＮクライアント部５０２、ＳＩＰクライアント部５０３及びアドレス反映機能部５０４の各々は、例えば、携帯端末５００にインストールされたプログラムにより機能するアプリケーションである。
【００１８】
図２は、ホームゲートウェイ４００が自身の無線ＬＡＮの無線送受信可能なエリア（以降、通信可能な無線通信エリア）に存在する携帯端末５００を、自身の内線電話網の内線電話とし、この携帯端末５００から外線に電話をかける処理を示すシーケンス図である。
【００１９】
ステップＳ１：
ユーザが、ホームゲートウェイ４００の無線通信エリアから、ホームゲートウェイ４００の内線電話網に接続された内線電話とする指示を、図示しないタッチパネルなどの入力手段から、携帯端末５００に対して入力する。これにより、制御部５０１は、ホームゲートウェイ４００において内線登録を行うための内線電話番号の払出しを依頼する制御信号を、ホームゲートウェイ４００の内線端末管理部４２３に対して送信する。
【００２０】
ステップＳ２：
次に、内線端末管理部４２３は、携帯端末５００からの内線電話番号の払出しの依頼の制御信号を受信すると、払出し可能な内線電話番号が自身の内部記憶部に記憶されている内線電話番号のなかにあるか否かの検索を行う。このとき、内線端末管理部４２３は、携帯端末５００に対して払い出すことが可能な内線電話番号が内部記憶部に記憶されている場合、内線電話番号と、内線の登録に必要な登録情報を携帯端末５００に対して、無線ＬＡＮまたはインターネット１００上のＶＰＮを介して払い出す。
【００２１】
ステップＳ３：
携帯端末５００の制御部５０１は、ホームゲートウェイ４００の内線端末管理部４２３から内線電話番号及び登録情報を受信すると、この内線端末管理部４２３が払い出した内線電話番号及び登録情報をＳＩＰクライアント部５０３に対して出力する。
【００２２】
ステップＳ４：
ＳＩＰクライアント部５０３は、制御部５０１から供給された内線電話番号及び登録情報が供給されると、ホームゲートウェイ４００の内線電話とする登録の処理を行うことをホームゲートウェイ４００のＳＩＰ制御部４２２に対して依頼する。
このとき、ＳＩＰクライアント部５０３は、携帯端末５００をホームゲートウェイ４００の内線電話とする登録の処理を依頼する制御信号を、無線ＬＡＮまたはインターネット１００上のＶＰＮを介してホームゲートウェイ４００のＳＩＰ制御部４２２に対して送信する。
【００２３】
ステップＳ５：
ＳＩＰ制御部４２２は、携帯端末５００の識別情報（例えば、携帯端末５００のＭＡＣ（Media Access Control address）アドレスなど）と、この携帯端末５００に払い出した内線電話番号とを対応付けて、自身内部に備えられている内部記憶部の内線電話テーブルに書き込んで記憶させて、携帯端末５００を内線電話とする登録の処理を終了する。
そして、ホームゲートウェイ４００のＳＩＰ制御部４２２は、ＳＩＰクライアント部５０３が依頼した内線電話登録が正常に処理されたか否か、すなわち携帯端末５００がホームゲートウェイ４００の内線番号として登録されたか否かを示す内線登録正否信号を、ＳＩＰクライアント部５０３に対して送信する。
ステップＳ５’：
ＳＩＰクライアント部５０３は、内線電話登録が正常に処理されたことを示す内線登録正否信号をＳＩＰ制御部４２２から供給された場合、制御部５０１に対し、この内線登録正否信号を送信する。
【００２４】
ステップＳ６：
制御部５０１は、ＳＩＰクライアント部５０３から内線登録正否信号が供給されると、上記タッチパネルに電話をかける外線の電話番号（外線番号）の入力を促す表示を行う。これにより、ユーザはタッチパネルからかけたい外線電話番号を入力する。このユーザの入力処理により、制御部５０１は、この電話番号に対応した電話に対して呼接続を行う処理を開始する。ここで、制御部５０１は、供給された電話番号を付加した制御信号をＳＩＰクライアント部５０３に対して出力する。
【００２５】
ステップＳ７：
そして、ＳＩＰクライアント部５０３は、制御信号が供給されることにより、この制御信号に付加されている電話番号との電話セッションを開始する依頼を、ホームゲートウェイ４００のＳＩＰ制御部４２２に対して行う。
すなわち、ＳＩＰクライアント部５０３は、制御信号に付加された電話番号に対する電話セッションの開始の通知を、ＮＧＮ２００のＳＩＰサーバ２０１に対して行うことを、ホームゲートウェイ４００のＳＩＰ制御部４２２に対して依頼する。
【００２６】
ステップＳ８：
ＳＩＰ制御部４２２は、ＳＩＰクライアント部５０３からの依頼により、電話セッションの開始を、ＮＧＮ２００のＳＩＰサーバ２０１に対して通知する。
すなわち、ＳＩＰ制御部４２２は、携帯端末５００の内線電話番号に対応させて、外線通話を行う相手先の電話番号を含む呼制御情報を、ＮＧＮ２００のＳＩＰサーバ２０１に対して送信する。
【００２７】
ステップＳ９及びＳ１０：
ＮＧＮ２００のＳＩＰサーバ２０１は、ＳＩＰ制御部４２２から供給される呼制御情報に含まれる相手先の電話番号から、相手先の電話のロケーションを検索する。
そして、ＳＩＰサーバ２０１は、相手先の電話のロケーションの検索結果から、ＮＧＮ２００内のホームゲートウェイ９０１に接続された電話９００あるいは、ＶｏＩＰゲートウェイ３０１を介してＰＳＴＮ３００の電話１０００などの着呼側と、発呼側であるＳＩＰ制御部４２２との相互間で呼制御信号（ＳＩＰ信号を含む）の送受信を行う。ここで、ホームゲートウェイ９０１は、ホームゲートウェイ４００と同様の実施構成である。
このとき、ＳＩＰサーバ２０１は、例えば、電話９００が相手先の電話であるとき、ホームゲートウェイ９０１から、電話９００が通話可能であることを示す応答信号が供給された場合、呼の確立を示す呼応答信号をホームゲートウェイ４００に対して送信する。
【００２８】
ステップＳ１１：
ホームゲートウェイ４００のＳＩＰ制御部４２２は、携帯端末５００と、ＳＩＰサーバ２０１との間において呼制御情報の中継を行っており、ＳＩＰサーバ２０１から送信された呼の確立を示す呼応答信号を、ＶｏＩＰ機能部４２１に対して送信する。
そして、ＶｏＩＰ機能部４２１は、呼の確立を示す呼応答信号をＳＩＰ制御部４２２から供給された場合、ホームゲートウェイ９０１の電話９００との間に、ＮＧＮ２００のＳＩＰサーバ２０１を介しない音声信号のための通話回線（電話セッション）を形成する。
【００２９】
ステップＳ１２：
ＶｏＩＰ機能部４２１は、携帯端末５００におけるＳＩＰクライアント部５０３との間において、音声情報の送受信を行う。すなわち、ＶｏＩＰ機能部４２１は、電話９００からの音声情報をＳＩＰクライアント部５０３に対して送信し、ＳＩＰクライアント部５０３からの音声情報を、ホームゲートウェイ９０１を介して電話９００に対して送信する処理を行う。
【００３０】
また、上記本実施形態の説明においては、携帯端末５００から他の電話網に接続されている電話９００に対して発信して呼接続を行う処理を記載した。一方、他の電話網に接続されている電話９００が呼接続の要求を携帯端末５００に対して行った際、携帯端末５００は、発信と同様に内線電話網を介して、電話９００からの呼接続の要求に対する着信処理を行う。
【００３１】
次に、図３は、ホームゲートウェイ４００が携帯端末５００に対して、ホームゲートウェイ４００自身のグローバルＩＰアドレスを供給する処理を示すシーケンス図である。
ステップＳ１３：
ホームゲートウェイ４００が起動された際、ＰＰＰｏＥ機能部４１２は、ホームゲートウェイ４００内に登録されている設定情報に従い、インターネット接続を行うため、ＰＰＰｏＥのプロトコルによるアクセスサーバ１０２との接続処理を開始する。
すなわち、ＰＰＰｏＥ機能部４１２は、ＰＰＰｏＥによる接続の確立過程において、インターネット１００のプロバイダのアクセスサーバ１０２と、ＰＰＰｏＥ及びＩＰＣＰ（internet protocol control protocol）などのプロトコルの交換を行う。
【００３２】
ステップＳ１４：
アクセスサーバ１０２は、ホームゲートウェイ４００がインターネット１００のプロバイダと契約されて登録されている場合、このホームゲートウェイ４００のＰＰＰｏＥ機能部４１２に対し、プロバイダが管理するグローバルＩＰアドレス（グローバルＩＰｖ４アドレス）の割り当てを行う。
そして、アクセスサーバ１０２は、ホームゲートウェイ４００に割り当てたグローバルＩＰアドレスを、ホームゲートウェイ４００のＰＰＰｏＥ機能部４１２に対して送信する。
【００３３】
ステップＳ１５：
ホームゲートウェイ４００において、ＰＰＰｏＥ機能部４１２は、アクセスサーバ１０２から供給されたグローバルＩＰアドレスを、ホームゲートウェイ４００のアドレスとして設定する。
そして、ＰＰＰｏＥ機能部４１２は、メール機能部４１３に対し、自身に割り当てられたグローバルＩＰアドレスを通知する。
【００３４】
ステップＳ１６：
メール機能部４１３は内部記憶部が設けられている。そして、このメール機能部４１３の内部記憶部には、グローバルＩＰアドレスがＰＰＰｏＥ機能部４１２に設定された際にこのグローバルＩＰアドレスを通知する携帯端末５００のメールアドレスが、予め書き込まれて記憶されている。
メール機能部４１３は、自身内部の記憶部に記憶されているメールアドレスに対し、ＰＰＰｏＥ機能部４１２から供給されたグローバルＩＰアドレスが添付された電子メールを、インターネット１００のメールサーバ１０１へ送信して通知する。
【００３５】
ステップＳ１７：
メールサーバ１０１は、メール機能部４１３から携帯端末５００に対する電子メールを中継し、宛先の携帯端末５００のメールアドレスに対して、携帯電話網６００のルータ６０１あるいは公衆無線ＬＡＮ網７００のルータ７０１を介して送信する。
そして、アドレス反映機能部５０４は、メールサーバ１０１から送信された電子メールを受信すると、この受信したメールからホームゲートウェイ４００に対して割り当てられたグローバルＩＰアドレスを抽出する。
アドレス反映機能部５０４は、抽出したグローバルＩＰアドレスを、ＶＰＮクライアント部５０２に対して出力する。
これにより、ＶＰＮクライアント部５０２は、供給されたグローバルＩＰアドレスを、ホームゲートウェイ４００自身のグローバルＩＰアドレスとして、自身内部の記憶部に対して書き込んで記憶させる。
【００３６】
上述の記載において、アドレス反映機能部５０４が受信したメールからグローバルＩＰアドレスを抽出し、ＶＰＮクライアント部５０２が供給されたこのグローバルＩＰアドレスを、自身内部の記憶部に書き込むこととしたが、以下に示す処理を行うようにしても良い。
すなわち、アドレス反映機能部５０４は、ホームゲートウェイ４００からグローバルＩＰアドレスの変更を示すメールを受信すると、図示しないタッチパネルなどの表示手段に対し、ホームゲートウェイ４００のグローバルＩＰアドレスが変更となったことを示す通知を表示する。
ユーザは、このタッチパネルの表示を見て、ホームゲートウェイ４００からのメールを見て、グローバルＩＰアドレスを書き換えるアプリケーションを、タッチパネルのアイコンなどをクリックすることにより起動する。
【００３７】
これにより、アドレス反映機能部５０４は、タッチパネルに対し、グローバルアドレスの入力欄を表示し、この入力欄にユーザが書き込むグローバルＩＰアドレスを、ＶＰＮクライアント部５０２内の記憶部に書き込む。
このように、ユーザがメールに記載されているグローバルＩＰアドレスを参照し、ユーザ自身がグローバルＩＰアドレスを、ＶＰＮクライアント部５０２に登録するように構成してもよい。また、このときのメールのアドレスは、予めユーザが指定したアドレスであれば、このグローバルＩＰアドレスを用いる携帯端末５００のアドレスでも、他の端末のアドレスでも良い。ユーザは、グローバルＩＰアドレスが変更されたことを示すメールを受信すると、上述したように、ＶＰＮクライアント部５０２に対して登録する処理を行う。
【００３８】
次に、図４は、携帯端末５００をホームゲートウェイ４００の内線電話網の内線電話とする処理を説明するシーケンス図である。この図４を用いて、ユーザが外出中において、携帯している携帯端末５００を、自宅のホームゲートウェイ４００の内線電話網に接続される内線電話として、このホームゲートウェイ４００を介して外線をかける処理を以下に説明する。
【００３９】
ステップＳ２１：
ユーザが携帯端末５００に対し、図示しないタッチパネルから、ホームゲートウェイ４００の内線電話網の内線電話とするための処理を設定する。
これにより、携帯端末５００内のＶＰＮクライアント部５０２は、３Ｇ及びＬＴＥなどに代表される携帯電話網６００の基地局６０２（図５）におけるルータ６０１（図５）を介して、あるいは公衆無線ＬＡＮの無線ＬＡＮアクセスポイントのルータ７０１を介して、インターネット１００を介し、予め自身内部の記憶部に設定されたホームゲートウェイ４００のグローバルＩＰアドレスを宛先とし、ＶＰＮ接続を開始する依頼信号を送信する。この依頼信号には、携帯端末５００のＶＰＮクライアント部５０２の仕様のＶＰＮ設定情報（暗号化処理のルールなどの情報）が含まれている。すなわち、ＶＰＮクライアント部５０２は、ホームゲートウェイ４００のＶＰＮ機能部４１１とのＶＰＮ接続を行う処理を開始する。
【００４０】
ステップＳ２２：
ホームゲートウェイ４００のＶＰＮ機能部４１１は、ＶＰＮクライアント部５０２からＶＰＮ設定情報が供給されると、自身の仕様のＶＰＮ設定情報を添付したＶＰＮ設定信号を、携帯端末５００のＶＰＮクライアント部５０２に対して送信する。
また、ホームゲートウェイ４００のＶＰＮ機能部４１１と携帯端末５００のＶＰＮクライアント部５０２との間で、複数回におけるＶＰＮ接続に必要な情報のやり取りが行われる。そして、携帯端末５００のＶＰＮクライアント部５０２とホームゲートウェイ４００のＶＰＮ機能部４１１との間に、携帯電話網６００のルータ６０１（もしくは公衆無線ＬＡＮ網７００のルータ７０１）、インターネット１００及びＮＧＮ２００を介したＶＰＮ接続が確立される。
【００４１】
ステップＳ２３：
ＶＰＮクライアント部５０２は、ホームゲートウェイ４００のＶＰＮ機能部４１１とＶＰＮ接続が確立したことを示す制御信号を、制御部５０１に対して出力する。
そして、制御部５０１は、ホームゲートウェイ４００において内線登録を行うための内線電話番号の払出しを依頼する制御信号を、ホームゲートウェイ４００の内線端末管理部４２３に対して送信する。
以降の処理は、すでに説明した図２におけるステップＳ２からステップＳ１２の処理が行われ、携帯端末５００がホームゲートウェイ４００に接続される内線電話として登録される。
【００４２】
また、携帯端末５００は、ＩＤ通信のアプリケーションが導入されており、他の同一アプリケーションが導入されている携帯端末５００との間において、インターネット１００を介してＩＤ通信を行う。
ユーザがこのアプリケーションを立ち上げることにより、携帯端末５００の制御部５０１は、インターネット１００のアクセスサーバ１０２に対して、通信相手先のＩＤと自身のＩＤとを付加した接続依頼の情報を送信する。
これにより、アクセスサーバ１０２は、携帯端末５００と他の携帯端末との間に通信回線を形成する。
このとき、携帯端末５００は、携帯電話網６００のルータ６０１、または公衆無線ＬＡＮ網７００のルータ７０１を介して、インターネット１００に接続する。
【００４３】
上述したように、本実施形態によれば、ホームゲートウェイ４００が携帯端末５００を内線電話網の内線電話とし、この内線電話網を介して携帯端末５００により他の電話網の電話機、例えばＰＳＴＮ３００の電話機９００と、容易に外線接続することが可能となる。
【００４４】
次に、図５は、３Ｇ及びＬＴＥなどに代表される携帯電話網６００における基地局６０２の無線通信エリア６５０と公衆無線ＬＡＮ網７００における無線ＬＡＮアクセスポイント７０２の無線通信エリア７５０とを示す概念図である。この図５において、無線通信エリア６５０は、３Ｇ及びＬＴＥなどに代表される携帯電話網６００における基地局６０２と携帯端末５００との間の無線通信が可能な範囲を示している。また、無線通信エリア７５０は、公衆無線ＬＡＮ網７００における無線ＬＡＮアクセスポイント７０２と携帯端末５００との間の無線通信が可能な範囲を示している。また、無線ＬＡＮのアクセスポイントが図１におけるホームゲートウェイ４００の場合、無線通信エリア７５０は、ホームゲートウェイ４００の無線ＬＡＮの通信可能な範囲を示す。
【００４５】
上述したように外出先において、ユーザが自身の携帯する携帯端末５００を、ホームゲートウェイ４００の内線電話網の内線電話とする場合、ＶＰＮ接続が用いられる。用いられるＶＰＮ接続は、携帯端末５００とホームゲートウェイ４００との間に携帯電話網６００のルータ６０１もしくは公衆無線ＬＡＮ網７００のルータ７０１のいずれか一方を介して形成されたＶＰＮ接続である。
【００４６】
また、一般的に、携帯端末５００は、通信先を自動的に切替える機能が設けられている。この機能は以下のとおりである。例えば、無線ＬＡＮアクセスポイント７０２の無線通信エリア７５０、あるいはホームゲートウェイ４００の無線ＬＡＮの通信可能範囲に携帯端末５００が入った場合、受信電波の信号強度等に基づいて無線ＬＡＮを使用した通信に自動的に切替わる。すなわち、上述した無線ＬＡＮの通信可能範囲に入った場合、３Ｇ及びＬＴＥなどに代表される携帯電話網６００の基地局６０２から、公衆無線ＬＡＮ網７００の無線ＬＡＮアクセスポイント７０２、あるいはホームゲートウェイ４００にデータ通信先が自動的に切り替わる。
【００４７】
しかしながら、上述したデータ通信先の切換え機能によって通信先が切替わってしまった場合、ＶＰＮ接続の接続をし直す必要が生じる。例えば、携帯電話網６００のルータ６０１を介して通信が行われている場合、携帯電話網６００のルータ６０１から、公衆無線ＬＡＮ網７００のルータ７０１、あるいはホームゲートウェイ４００へデータ通信先を切替える際、携帯端末５００側のＩＰアドレスが変更になるため、一旦ＶＰＮ接続が切断され、改めてＶＰＮ接続が形成されることになる。
【００４８】
例えば、携帯端末５００を携帯したユーザが位置Ａに存在している場合、携帯端末５００は３Ｇ及びＬＴＥなどに代表される携帯電話網６００における基地局６０２の無線通信エリア６５０に位置している。このため、携帯端末５００をホームゲートウェイ４００の内線電話網の内線電話として外線をかける場合、携帯端末５００が３Ｇ及びＬＴＥなどに代表される携帯電話網６００のルータ６０１を介してホームゲートウェイ４００との間に形成されたＶＰＮ接続が利用される。
【００４９】
しかしながら、位置Ａから位置Ｂに移動する際、ユーザが公衆無線ＬＡＮ網７００の無線ＬＡＮアクセスポイント７０２の無線通信エリア７５０に進入することになる。このとき、制御部５０１は、無線ＬＡＮアクセスポイント７０２からの受信電波の信号強度などにより、携帯端末５００が無線通信エリア７５０に位置することを検出する。これにより、携帯端末５００の制御部５０１は、無線ＬＡＮアクセスポイント７０２を介してホームゲートウェイ４００との間でＶＰＮ接続を行う処理を指示する制御信号を、ＶＰＮクライアント部５０２に対して出力する。
【００５０】
次に、ＶＰＮクライアント部５０２は、ルータ６０１との無線通信の接続を一旦切断し、新たに公衆無線ＬＡＮ網７００の無線ＬＡＮアクセスポイント７０２との無線通信の接続を形成する。そして、携帯端末５００は、図４のシーケンスに示すように、ルータ７０１を介して携帯端末５００とホームゲートウェイ４００との間にＶＰＮ接続を形成し、ホームゲートウェイ４００の内線電話網の内線電話となり、外線による通話を再開する。
【００５１】
上述したホームゲートウェイ４００と異なる携帯電話網６００のルータ６０１との間におけるＶＰＮ接続の切替えにより、ＶＰＮ接続を切断して再度ＶＰＮ接続を形成する間に、通信状態によっても異なる所定の時間が必要となる。このため、音声通信において音声が途切れ、ＶＰＮ接続の切断による雑音も発生し、携帯端末５００により通話を行っているユーザが不快感を感じる。また、ホームゲートウェイ４００の無線ＬＡＮとの通信が可能な領域に携帯端末５００が進入した場合、携帯端末５００がホームゲートウェイ４００に対して新たに内線電話の登録を行う必要があり、外線をかけた電話に対する通話の継続自体が不可能となる。
【００５２】
上述したデータ通信の通信経路の切替えの動作は、携帯端末５００の無線通信の接続先として、携帯電話網６００に対する接続より、公衆無線ＬＡＮ網７００への接続の優先度を、予めユーザが高く設定しているために発生する。このとき、ユーザは無線ＬＡＮ（Ｗｉ−Ｆｉ）による通信が可能となったことを、受信電波の信号強度などにより検出すると、通信の接続を携帯電話網６００から無線ＬＡＮに強制的に変更するように、携帯端末５００の制御部５０１に対して設定しておく。
【００５３】
この通信の接続の設定状態の場合、携帯端末５００が携帯電話網６００を利用した状態で、公衆無線ＬＡＮ網７００の無線ＬＡＮアクセスポイント７０２の無線通信エリア７５０、あるいはホームゲートウェイ４００の無線ＬＡＮと通信可能な範囲に入った場合、携帯端末５００の制御部５０１は、無線通信の接続を携帯電話網６００を介した接続から公衆無線ＬＡＮ網７００、あるいはホームゲートウェイ４００を介した接続に切替える。この結果、外線をかけている電話との通話において、携帯電話網６００から公衆無線ＬＡＮ網７００に切り替わる際に通話がとぎれたり、携帯電話網６００からホームゲートウェイ４００に切り替わる際に通話の継続が不可能となったりする問題が発生する。
【００５４】
このため、本実施形態においては、一旦、携帯電話網６００を用いて、携帯端末５００をホームゲートウェイ４００の内線電話網の内線電話とし、ホームゲートウェイ４００を介して外線をかけた状態において、この携帯端末５００が公衆無線ＬＡＮ網７００の無線ＬＡＮアクセスポイント７０２の無線通信エリア７５０、あるいはホームゲートウェイ４００の無線ＬＡＮ通信可能な領域に入った場合、携帯端末５００が無線接続を３Ｇ及びＬＴＥなどに代表される携帯電話網６００との接続を継続する構成とする。
【００５５】
例えば、ユーザが携帯端末５００をホームゲートウェイ４００の内線電話とした後、携帯端末５００から外線をかける際、制御部５０１は内部記憶部における設定部において、無線ＬＡＮへの接続が自動接続となっているか否かの検出を行う。ここで、自動接続とは、無線ＬＡＮ以外（例えば、携帯電話網６００）に接続されている場合に、無線ＬＡＮと通信可能となった場合、強制的に無線ＬＡＮへの接続に切替える内部設定である。
【００５６】
そして、制御部５０１は、内部設定が無線ＬＡＮへの接続が自動接続となっていることを検出すると、この内部設定を無効とする変更処理を行う。また、制御部５０１は、この変更処理を行ったか否かを示す変更フラグを、変更処理を行ったため立てる。
一方、内部設定が無線ＬＡＮへの接続が自動接続となっていないことを検出すると、この内部設定を無効とする変更処理を行わない。また、制御部５０１は、この変更処理を行ったか否かを示す変更フラグを、変更処理を行わないため立てない。
【００５７】
制御部５０１は、外線の通話が終了した際、この変更フラグを確認して、変更フラグがたっている場合、通話前に内部設定が無線ＬＡＮへの接続が自動接続となっていたことを検出し、内部設定を無線ＬＡＮへの自動接続に変更する。
一方、制御部５０１は、外線の通話が終了した際、この変更フラグを確認して、変更フラグがたっていない場合、通話前に内部設定が無線ＬＡＮへの接続が自動接続となっていなかったことを検出し、内部設定を無線ＬＡＮへの自動接続に変更しない。
【００５８】
これにより、制御部５０１は、ホームゲートウェイ４００の内線電話として外線をかけている際、無線ＬＡＮアクセスポイント７０２の無線通信エリア７５０、あるいはホームゲートウェイ４００の無線ＬＡＮとの通信可能な領域に入ったとしても、内部設定が無線ＬＡＮへの自動接続となっていないため、携帯電話網６００から無線ＬＡＮに接続が切り替わることがない。
これにより、本実施形態によれば、外線をかけている電話との通話において、携帯電話網６００から公衆無線ＬＡＮ網７００に切り替わる際に通話がとぎれたり、携帯電話網６００からホームゲートウェイ４００に切り替わる際に通話の継続が不可能となったりする問題の発生を防止することができる。
【００５９】
本実施形態によれば、ホームゲートウェイ４００において、ホームゲートウェイ４００の内線電話網の内線電話として携帯端末５００を登録し、携帯端末５００からホームゲートウェイ４００を介して、容易に外線（ホームゲートウェイ４００の内線電話網とは異なる電話網）接続することができる。
また、上述した構成により、携帯電話網６００で回線接続をしても公衆無線ＬＡＮ網７００の無線ＬＡＮアクセスポイント７０２の無線通信エリア７５０に携帯端末５００が入り、公衆無線ＬＡＮ網７００に接続可能となると、回線接続を携帯電話網６００から公衆無線ＬＡＮ網７００に切替える設定とされていても、フラグに電話をかけていることを示すフラグ情報が書き込まれていれば、携帯端末５００が携帯電話網６００を用いて、ホームゲートウェイ４００を介して外線をかけている際、携帯端末５００が携帯電話網６００の利用を継続する。このため、本実施形態によれば、一旦携帯電話網６００で回線接続をして、フラグに電話をかけていることを示すフラグ情報が書き込むことにより、公衆無線ＬＡＮ網７００に進入しても、通話中におけるＶＰＮ接続の切り替えが無くなり、通話が途切れることがなくなる。
【００６０】
また、外出中に携帯端末５００が携帯電話網６００を用いて、ホームゲートウェイ４００を介した外線による通話中に、通話を継続したままの状態でユーザが自宅に帰り、携帯端末５００がホームゲートウェイ４００の無線ＬＡＮとの通信可能領域に侵入した場合も同様である。すなわち、携帯端末５００は、フラグに電話をかけていることを示すフラグ情報が書き込まれていれば、無線ＬＡＮへの接続を行わず、携帯電話網６００からホームゲートウェイ４００を介した通話を継続することになる。これにより、携帯端末５００が携帯電話網６００の利用を継続するため、ＶＰＮ接続の切替えが無くなり、通話が途切れることがなくなる。
【００６１】
また、図１における携帯端末５００及びホームゲートウェイ４００の各々の機能を実現するためのプログラムをコンピュータ読み取り可能な記録媒体に記録して、この記録媒体に記録されたプログラムをコンピュータシステムに読み込ませ、実行することにより携帯端末５００及びホームゲートウェイ４００における音声通信の制御を行ってもよい。なお、ここでいう「コンピュータシステム」とは、ＯＳや周辺機器等のハードウェアを含むものとする。
【００６２】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００６３】
以上、この発明の実施形態を図面を参照して詳述してきたが、具体的な構成はこの実施形態に限られるものではなく、この発明の要旨を逸脱しない範囲の設計等も含まれる。
【符号の説明】
【００６４】
１００…インターネット
１０１…メールサーバ
１０２…アクセスサーバ
２００…ＮＧＮ
２０１…ＳＩＰサーバ
３００…ＰＳＴＮ
３０１…ＶｏＩＰゲートウェイ
４００，９０１…ホームゲートウェイ
４１０…ルータ機能部
４１１…ＶＰＮ機能部
４１２…ＰＰＰｏＥ機能部
４１３…メール機能部
４２０…電話制御部
４２１…ＶｏＩＰ機能部
４２２…ＳＩＰ制御部
４２３…内線端末管理部
５００…携帯端末
５０１…制御部
５０２…ＶＰＮクライアント部
５０３…ＳＩＰクライアント部
５０４…アドレス反映機能部
６００…携帯電話網
６０１，７０１…ルータ
６０２…基地局
６５０，７５０…無線通信エリア
７００…公衆無線ＬＡＮ網
７０２…無線ＬＡＮアクセスポイント
８００，９００，１０００…電話
【図１】
2014195167.tif 000003
【図２】
2014195167.tif 000004
【図３】
2014195167.tif 000005
【図４】
2014195167.tif 000006
【図５】
2014195167.tif 000007